(57)【特許請求の範囲】
【請求項１】
供給室と回収室を備え透析液を透析器に供給するとともに回収する第１処理手段と、供給室と回収室を備え透析液を透析器に供給するとともに回収する第２処理手段と、上記第１処理手段および第２処理手段の各供給室に接続されて新鮮透析液を製造するための水を供給源から供給する水供給通路と、上記水供給通路に設けられて供給源の水を上記各供給室に給送するポンプと、上記水供給通路におけるポンプと供給源との間に設けられて水供給通路を開閉する開閉弁と、上記第１処理手段および第２処理手段の各供給室と透析器とを連通させる新鮮透析液の給液通路と、上記透析器と第１処理手段および第２処理手段の回収室とを連通させる処理済透析液の排液通路と、第１処理手段および第２処理手段の各回収室内と接続されて回収室内の処理済透析液を外部に排出する排出通路とを備え、
上記透析器に接続される給液通路の端部と上記透析器に接続される排液通路の端部とを相互に連通させた状態で、上記両処理手段の供給室に供給した洗浄液を順次給液通路から流通させて、その流通する経路内を洗浄するようにした透析装置の洗浄方法において、
上記開閉弁とポンプ間に位置する水供給通路と上記給液通路もしくは排液通路とを連通させるバイパス通路と、上記第１処理手段および第２処理手段の回収室を相互に連通させる連通路とを備え、所要時に上記開閉弁を閉鎖するとともにバイパス通路によって該開閉弁とポンプ間に位置する水供給通路と給液通路もしくは排液通路とを連通させ、かつ、連通路によって第１処理手段および第２処理手段の回収室を相互に連通させた状態で上記ポンプを作動させて、供給室から水供給通路に洗浄液を流通させてその内部を洗浄する洗浄工程を備えることを特徴とする透析装置の洗浄方法。
【発明の詳細な説明】
【０００１】
【産業上の利用分野】
本発明は透析装置の洗浄方法に関する。
【０００２】
【従来の技術】
従来、透析装置の洗浄方法として、次のような方法が知られている。すなわち、供給室と回収室を備え透析液を透析器に供給するとともに回収する第１処理手段と、供給室と回収室を備え透析液を透析器に供給するとともに回収する第２処理手段と、上記第１処理手段および第２処理手段の各供給室に接続されて新鮮透析液を製造するための水を供給源から供給する水供給通路と、上記水供給通路に設けられて供給源の水を上記各供給室に給送するポンプと、上記水供給通路におけるポンプと供給源との間に設けられて水供給通路を開閉する開閉弁と、上記第１処理手段および第２処理手段の各供給室と透析器とを連通させる新鮮透析液の給液通路と、上記透析器と第１処理手段および第２処理手段の回収室とを連通させる処理済透析液の排液通路と、第１処理手段および第２処理手段の各回収室内と接続されて回収室内の処理済透析液を外部に排出する排出通路とを備え、
上記透析器に接続される給液通路の端部と上記透析器に接続される排液通路の端部とを相互に連通させた状態で、上記両処理手段の供給室に供給した洗浄液を順次給液通路から流通させて、その流通する経路内を洗浄するようにした透析装置の洗浄方法は知られている（例えば特公平６−１１３１４号公報）。
このような従来の透析装置の洗浄方法では、透析装置の洗浄を行う際には、透析時に透析液が流通するのと同じ通路内に洗浄液を流通させて、それらの通路内を洗浄するようにしている。
【０００３】
【発明が解決しようとする課題】
ところで、上述した従来の洗浄装置では、水供給通路におけるポンプと各供給室との間となる位置に洗浄通路の一端を接続するようにしてあり、洗浄通路およびそれと各供給室との間の水供給通路を介して、各供給室内に洗浄液を導入し、さらに、各供給室から給液通路内に洗浄液を流通させるようにしている。
したがって、従来の洗浄方法では、水供給通路における洗浄通路の一端を接続した箇所から水の供給源に至るまでの水供給通路内は洗浄されていなかったものである。
そこで、本発明の目的は、従来の洗浄方法によって洗浄されていなかった水供給通路内をも洗浄することができる洗浄方法を提供するものである。
【０００４】
【課題を解決するための手段】
すなわち、本発明は、上述した透析装置の洗浄方法において、
上記開閉弁とポンプ間に位置する水供給通路と上記給液通路もしくは排液通路とを連通させるバイパス通路と、上記第１処理手段および第２処理手段の回収室を相互に連通させる連通路とを備え、所要時に上記開閉弁を閉鎖するとともにバイパス通路によって該開閉弁とポンプ間に位置する水供給通路と給液通路もしくは排液通路とを連通させ、かつ、連通路によって第１処理手段および第２処理手段の回収室を相互に連通させた状態で上記ポンプを作動させて、供給室から水供給通路に洗浄液を流通させてその内部を洗浄する洗浄工程を備えたものである。
【０００５】
【作用】
上述した構成によれば、従来の洗浄方法で洗浄することができなかった水供給通路内をも洗浄液によって洗浄することができる。
【０００６】
【実施例】
以下図示実施例について本発明を説明すると、図１から図７において、透析装置１は、透析を行なう透析器２と、この透析器２に新鮮透析液を供給するとともに処理済透析液を回収する処理手段としての第１透析液容器３および第２透析液容器４とを備えている。
透析器２は従来公知のものであり、被処理液である血液を供給路５を介して透析器２に導入するとともに、排出路６を介して外部に排出するようにしている。処理手段としての第１透析液容器３と第２透析液容器４とは、上記透析器２に対して並設してあり、各透析液容器３、４によって上記透析器２内に交互に新鮮透析液を供給するとともに処理済の透析液を透析器２から回収するようにしている。これらの各透析液容器３、４の構成も従来公知のものである。
両透析液容器３、４内は、左右一対のダイアフラムによって、供給室７（７’）、可変容積室８（８’）、および回収室９（９’）の３室に区画している。
透析装置１は水供給通路１１を備えており、この水供給通路１１の上流側の端部１１ａは図示しない水の供給源に接続している。また、水供給通路１１の下流側における各透析液容器３、４に近い箇所は２つに分岐させてあり、その分岐させた下流側の２つの端部１１ｂ、１１ｂ’を、上記各透析液容器３、４の供給室７（７’）に接続している。この水供給通路１１を介して各透析液容器３、４の供給室７（７’）内に水を供給するようにしている。
【０００７】
水供給通路１１における上流側には開閉弁Ｖ１を設けてあり、またこの開閉弁Ｖ１よりも下流側に水を給送するポンプＰ１を設けてあり、このポンプＰ１により上記各透析液容器３、４の供給室７、７’に水を供給するようになっている。さらにこのポンプＰ１よりも下流側に開閉弁Ｖ２を設けている。
また、上記水供給通路１１における下流側の分岐点と第１透析液容器３の供給室７との間となる水供給通路１１に三方切換弁Ｖ５を設けてあり、他方、上記水供給通路１１の分岐点と第２透析液容器４の供給室７’との間となる水供給通路１１に三方切換弁Ｖ７を設けている。上記開閉弁Ｖ１、Ｖ２、両三方切換弁Ｖ５、Ｖ７およびポンプＰ１の作動は図示しない制御装置によって制御されるようになっている。
また、透析装置１は給液通路１２を備えており、これによって各透析液容器３，４の供給室７、７’と透析器２とを連通できるようにしている。すなわち、給液通路１２における上流側は２つに分岐させてあり、これらの分岐させた２つの上流側端部の一方１２ｂを上記三方切換弁Ｖ５に接続するとともに、分岐させた２つの上流側端部の他方１２ｂ’を上記三方切換弁Ｖ７に接続している。給液通路１２における下流側の端部１２ａは、上記透析器２に着脱自在に接続している。なお、この給液通路１２における下流側の端部１２ａは、透析装置１を洗浄する際に、従来公知の接続プラグ１４によって後述する排液通路１３の上流側端部１３ａと接続するようにしている。接続プラグ１４の構成は、例えば特開平７−２４２６６号公報で既に公知である。
【０００８】
給液通路１２における下流側には三方切換弁Ｖ９を設けている。この三方切換弁Ｖ９の一方のポートにバイパス通路１５の一端を接続してあり、バイパス通路１５の他端は上記排液通路１３に接続している。この三方切換弁Ｖ９の作動は、図示しない制御装置によって制御されるようになっており、三方切換弁Ｖ９が第１切換え位置に位置すると、上流側の給液通路１２が下流側の端部１２ａに連通され、切換弁Ｖ９が第２切換え位置に位置すると、上流側の給液通路１２がバイパス通路１５に連通するようになっている。
次に、上記水供給通路１１の三方切換弁Ｖ５、Ｖ７が第１切換え位置に位置しているときには、水供給通路１１を介して水の供給源と各供給室７、７’とが連通すると同時に、各供給室７、７’と給液通路１２との連通を阻止する。
他方、三方切換弁Ｖ５、Ｖ７が第２切換え位置に位置しているときには、水の供給源と各供給室７、７’との連通が阻止されると同時に給液通路１２を介して供給室７、７’と透析器２とが連通するようになっている。
また、透析装置１は、原液通路１６および原液通路１７を備えており、両通路１６，１７の一端１６ａ，１７ａを、開閉弁Ｖ２より下流側の水供給通路１１に接続している。また、原液通路１６の他端１６ｂは、透析液を構成するＡ液を貯溜したタンクに接続できるようにしてあり、原液通路１７の他端１７ｂは、透析液を構成するＢ液を貯溜したタンクに接続できるようにしている。原液通路１６、１７を開閉する開閉弁Ｖ１３、Ｖ１４の作動は制御装置によって制御されるようになっている。
そして、上記三方切換弁Ｖ５、Ｖ７が第１切換え位置に位置し、開閉弁Ｖ１３、Ｖ１４が開放されている時に、水供給通路１１を介して供給室７、７’内に水が供給されるとともに、水供給通路１１とそれに接続した原液通路１６と原液通路１７を介してＡ液およびＢ液が供給室７、７’内に供給されて、供給室７、７’内で新鮮透析液が製造されるようになっている。他方、上記三方切換弁Ｖ５、Ｖ７が第２切換え位置に位置している時に、供給室７、７’内で製造された新鮮透析液が給液通路１２を介して透析器２へ給送されるようになっている。
制御装置は、三方切換弁Ｖ５、Ｖ７を同期して作動させるが、一方を第１切換え位置に位置させる時には他方を第２切換え位置に位置させ、一方を第２切換え位置に位置させる時は他方を第１切換え位置に位置させるように交互に制御する様になっている。
【０００９】
透析装置１は、さらに洗浄通路１８を備えており、この洗浄通路１８の一端１８ａを開閉弁Ｖ２のすぐ上流側となる水供給通路１１に接続してあり、その他端を２つに分岐させている。そして、この２つの分岐通路１８Ｃの端部の一方に、上記原液通路１６の他端１６ｂを接続できるようにしてあり、また、この２つの分岐通路１８Ｃの端部の他方に、上記原液通路１７の他端１７ｂに接続できるようにしている。さらに、洗浄通路１８における上流側に開閉弁Ｖ１１を設けるとともに、開閉弁Ｖ１１から分岐通路１８ｃまでの間に引込み通路を設け、この引込み通路に開閉弁Ｖ１２を設けるとともに、その端部１８ｂに洗浄原液を貯溜したタンクを接続できるようにしている。これら開閉弁Ｖ１１、Ｖ１２の作動も制御装置によって制御するようにしてあり、制御装置は透析器２によって透析を行う際にはこれら開閉弁Ｖ１１、Ｖ１２を閉鎖している。なお、この洗浄通路１８は、原液通路１６、１７を介して水供給通路１１に洗浄液を供給するものであって、その一端１８ａから引き込み通路までの区間は、洗浄動作におけるすすぎ工程において、原液通路１６、１７内の洗浄液を洗い流す水を水供給通路１１から供給するために設けている。
上記水供給通路１１における開閉弁Ｖ１よりも上流側には、水を濾過するフィルタ２１、水の圧力を低下させる減圧弁２２、および水圧を計る圧力計２３を設けている。
水供給通路１１における開閉弁Ｖ１よりも下流側には、水温を計測する温度センサ２４、水供給通路１１内の水の流通量を調整する流量調整弁２５、および熱交換器２６を設けてあり、さらにその下流側に水を加熱するヒータ２７、バッファタンク２８を順次設けている。また、水供給通路１１におけるポンプＰ１のすぐ下流側には、水供給通路１１内の水からエア抜きを行う脱気槽３１を設けてあり、この脱気槽３１は、脱気通路５５を介して後述する排出通路４７と連通させている。
水供給通路１１におけるポンプＰ１の下流側の箇所とバッファタンク２８の上流側の箇所は、バイパス通路３２によって連通させている。また、水供給通路１１における脱気槽３１の下流側の箇所と温度センサ２４の上流側の箇所は、別のバイパス通路３３によって連通させている。このバイパス通路３３に、リリーフ弁３４を設けている。
【００１０】
次に、給液通路１２における三方切換弁Ｖ９の上流側の箇所に、給液通路１２内を流通する新鮮透析液の圧力を検出する圧力センサ３６を設けてあり、その上流側に給液通路１２内を流通する新鮮透析液の流量を検出する流量センサ３７を設けてあり、さらにその上流側に流量調整弁３８を設けている。
さらに、給液通路１２における流量調整弁３８よりも上流側には、給液通路１２内の新鮮透析液をサンプルとして抽出するためのサンプルポート４１を設けてあり、さらにその上流側に新鮮透析液の濃度を検出する濃度センサ４２、４３を設けてあり、これら両センサ４２，４３による検出結果は、常時制御装置に伝達されるようになっている。また、給液通路１２における濃度センサ４３の上流側には、バッファタンク４４，４５を順次設けている。
次に、透析装置１は排液通路１３を備えており、これによって透析器２と各透析液容器３、４の回収室９、９’とを連通できるようにしている。すなわち、排液通路１３における上流側の端部１３ａは、透析器２に着脱自在に接続している。排液通路１３における下流側は２つに分岐させてあり、これら２つに分岐させた一方の下流側端部１３ｂを第１透析液容器３の回収室９に接続してあり、また、２つに分岐させた他方の下流側端部１３ｂ’を第２透析液容器３の回収室９’に接続している。排液通路１３の途中にはポンプＰ２を設けてあり、このポンプＰ２により、各透析液容器３、４の供給室７、７’内の新鮮透析液を透析器２に供給するとともに、処理済の透析液を回収室９、９’に回収できるようになっている。また  これよりも上流側となる排液通路１３の途中に逆止弁５１を設けている。このポンプＰ２は制御装置によって作動を制御される。
上記排液通路１３における下流側の分岐点と回収室９との間の箇所に三方切換弁Ｖ６を設けてあり、また、排液通路１３における分岐点と回収室９’との間の箇所に三方切換弁Ｖ８を設けている。
【００１１】
さらに、透析装置１は排出通路４７を設けてあり、この排出通路４７の下流側の端部４７ａは、図示しない排液回収タンクに接続している。排出通路４７における上流側の箇所は２つに分岐させてあり、その分岐させた一方の端部４７ｂを上記三方切換弁Ｖ６に接続してあり、分岐させた他方の端部４７ｂ’を上記三方切換弁Ｖ８に接続している。
排出通路４７の途中には開閉弁Ｖ３を設けてあり、その下流側に漏血センサ４８を設けている。漏血センサ４８は、排出通路４７内の処理済の透析液に血液が含有されていることを検出すると、そのことを制御装置に伝達するようになっている。両三方切換弁Ｖ６、Ｖ８および開閉弁Ｖ３の作動は、制御装置によって制御されるようになっている。
三方切換弁Ｖ６、Ｖ８が第１切換え位置に位置しているときには、各回収室９、９’と排液通路１３の連通が阻止されると同時に、各回収室９、９’と排出通路４７とが連通する。したがって、この状態では、排出通路４７を介して回収室９、９’内の処理済の透析液を排液回収タンクに排出することができる。
他方、三方切換弁Ｖ６、Ｖ８が第２切換え位置に位置しているときには、各回収室９、９’と排液通路１３が連通すると同時に、各回収室９、９’と排出通路４７との連通を阻止する。したがって、この状態では、排液通路１３を介して回収室９、９’と透析器２とが連通して、排液通路１３を介して透析器２内の処理済の透析液が回収室９、９’に回収される。
なお、制御装置は、三方切換弁Ｖ６、Ｖ８を同期して作動させるが、一方を第１切換え位置に位置させる時には他方を第２切換え位置に位置させ、一方を第２切換え位置に位置させる時は他方を第１切換え位置に位置させるように交互に制御する様になっている。また、これら三方切換弁Ｖ６、Ｖ８および前記三方切換弁Ｖ５、Ｖ７の切り換えは、流量センサ３７が給液通路１２内の液の流通の停止を検出する毎に行うようになっている。
【００１２】
排液通路１３におけるポンプＰ２のすぐ下流側には脱気槽５２を設けてあり、この脱気槽５２は、脱気通路５３を介して排出通路４７と連通させている。脱気通路５３には、開閉弁Ｖ４を設けてある。上記開閉弁Ｖ４の作動も制御装置によって制御される。
排液通路１３におけるポンプ５１の上流側と脱気槽５２の下流側の箇所とにわたってバイパス通路５６を設けてあり、このバイパス通路５６にリリーフ弁５７を設けている。
さらに、排液通路１３におけるポンプＰ２の上流側のバイパス通路５６の接続端のさらに上流側の箇所にバイパス通路３５の一端を接続し、その他端を、水供給通路１１において上流側となるバイパス通路３３の接続端と開閉弁Ｖ１との間に接続し、水供給通路１１と排液通路１３とを連通させている。バイパス通路３５には開閉弁Ｖ１０を設けてあり、透析動作の準備段階で脱気槽５２のエア抜きを行う場合に、開閉弁Ｖ１０を開放して水を水供給通路１１から排液通路１３へ送液するようにし、開閉弁Ｖ４を開放するとともに、ポンプＰ２を作動させてバイパス通路３５を経て送液される水によって脱気槽５２内に溜ったエアを脱気通路５３を介して排出通路４７へ押し出すようにしている。
これにより、開閉弁Ｖ４を開放した際に供給室７（７’）と回収室９（９’）の容積バランスが崩れて、供給室７（７’）、給液通路１２、排液通路１３、回収室９（９’）で形成される密閉系が陰圧となることを防止している。なお、バイパス通路３５の一端の接続は排出通路１３ではなくその上流の給液通路１２であっても良い。
次に、各透析液容器３、４の可変容積室８、８’内にはシリコンオイルを封入してあり、各透析液容器３、４内の左右一対のダイアフラムを相互に連動させて移動させるようにしている。つまり、各透析液容器３、４の供給室７（７’）の容積が拡大する時にはそれに連動して回収室９（９’）の容積が減少するようになっており、これとは逆に供給室７（７’）の容積が減少する時にはそれに連動して回収室９（９’）の容積が拡大するようになっている。
【００１３】
各可変容積室８、８’は、各シリンダ装置４６、４６’のシリンダ室内と連通させてあり、上記制御装置によって各シリンダ装置４６、４６’が備えるピストンを進退動させるようにしている。これによって、各可変容積室８、８’内のシリコンオイルの量を加減することにより、その容積を調整できるようになっている。
シリンダ装置４６、４６’は、上記左右一対のダイアフラムが右行する際に可変容積室８、８’の容積が小さくなるように制御される。
その結果、回収室９、９’における容積変動量は、供給室７、７’における容積変動量よりも、シリンダ装置４６、４６’による可変容積室８の容積変動分だけ大きくなる。したがって、供給室７、７’から透析器２に供給する新鮮透析液よりも、上記容積変動分だけ多くの処理済透析液を回収室９、９’内に回収できるようになり、その容積変動分が透析器２による限外濾過量に一致することになる。なお、以上の構成は、特公平６−１１３１４号公報によって既に公知である。
【００１４】
以上の構成において、両透析容器３、４の供給室７、７’で新鮮透析液を製造しながら透析器２に新鮮透析液を供給して透析を行うとともに、処理済の透析液を回収室９、９’に回収して排出するようにしている。
すなわち、制御装置は、開閉弁Ｖ１１、Ｖ１２、Ｖ１３、Ｖ１４を閉鎖する一方、開閉弁Ｖ１、Ｖ２、Ｖ３を開放した状態で、三方切換弁Ｖ５、Ｖ６を第１切換え位置に位置させ、さらに三方切換弁Ｖ７、Ｖ８を第２切換え位置に位置させる。この状態で、ポンプＰ１の作動により、水供給通路１１を介して第１透析液容器３の供給室７に水が供給される。この後、一旦開閉弁Ｖ２を閉鎖して、水の供給を停止するとともに、開閉弁Ｖ３を閉鎖して回収室９からの処理済透析液の排出を停止し、さらに開閉弁Ｖ１３を開放するとともに、シリンダ装置４６によって可変容積室８の容積を減少させる。これにより、原液通路１６および水供給通路１１を介して所定量のＡ液が供給室７に供給される。この後、開閉弁Ｖ２、Ｖ３を開放するとともに開閉弁Ｖ１３を閉鎖する。これにより、水供給通路１１を介して第１透析液容器３の供給室７にさらに水が供給される。そして、この後、再度開閉弁Ｖ２、Ｖ３を閉鎖し、さらに開閉弁１４を開放するとともに、シリンダ装置４６によって可変容積室８の容積を減少させる。これにより、原液通路１７および水供給通路１１を介して所定量のＢ液が供給室７に供給される。さらにこの後、開閉弁Ｖ２、Ｖ３を開放するとともに開閉弁Ｖ１４を閉鎖して、水供給通路１１を介して供給室７に水を供給し、可変容積室８が図１における左方端に移動するまで水の供給を継続させる。このようにして、第１透析液容器３の供給室７内で新鮮透析液を製造することができ、また、排出通路４７を介して回収室９の処理済の透析液を排出することができる。さらにこれと同様にして第２透析液容器４の供給室７’内で新鮮透析液を製造することができるとともに回収室９’から処理済の透析液を排出することができる。
次に、制御装置は、三方切換弁Ｖ５、Ｖ６を第２切換え位置に切り換える。この状態で、ポンプＰ２の作動により、第１透析液容器３の供給室７の新鮮透析液が給液通路１２を介して透析器２に供給されるとともに、透析器２内の処理済の透析液が排液通路１３を介して第１透析液容器３の回収室９に給送される。これにより、回収室９の容積が拡大し、それに伴って、第１透析液容器３の一対のダイアフラムが右行され、供給室７の容積が減少する。さらに、これと同時にシリンダ装置４６によって可変容積室８の容積を減少させることによって、回収室９の容積をさらに拡大させ、その容積変動分に相当する量が透析器２内の血液から除水（限外濾過）される。
【００１５】
このようにして、第１透析液容器３の供給室７から透析器２に新鮮透析液を供給することができるとともに、処理済の透析液を回収室９に回収することができる。また、これと同様にして、第２透析液容器４の供給室７’から透析器２に新鮮透析液を供給することができるとともに、処理済の透析液を回収室９’に回収することができる。
以上の透析動作を第１透析液容器３と第２透析液容器４とにおいて、逆に、つまり各供給室７、７’から交互に透析器２へ新鮮透析液を供給するとともに回収するようにしているので、連続的に透析を行うことができる。
次に、上述のようにして透析を行った後には、透析装置１を構成する各通路内および各構成部材の洗浄を行う必要がある。
そこで、本実施例では、Ａ液、Ｂ液の代わりに洗浄液を供給室７，７’に供給するようにし、上述した透析動作と同様の工程により供給室７、７’内で洗浄液を水により所定濃度に希釈する。そして、供給室７、７’に供給した洗浄液を上述した透析作業時と同様に順次給液通路１２から各通路内に流通させてその流通する経路内を洗浄した後、さらに洗浄液の流通経路を切り換えてからそれまでの洗浄で洗浄液が流通しなかった通路内に洗浄液を流通させるようにしている。
すなわち、先ず、洗浄動作に入る前に透析器２から給液通路１２の端部１２ａおよび排液通路１３の端部１３ａを取り外すとともに、接続プラグ１４の一端に給液通路１２の端部１２ａを接続し、接続プラグ１４の他端に排液通路１３の端部１３ａを接続する。また、原液通路１６の端部１６ｂを洗浄液通路１８側の分岐通路１８Ｃの２つに分岐させた一方の端部に接続するとともに、原液通路１７の端部１７ｂを洗浄液通路１８の端部の他方に接続し、開閉弁Ｖ１１を閉鎖した状態で開閉弁１２を開放することにより、原液通路１６，１７に洗浄液を供給できるようにする。
【００１６】
この状態から上述した透析を行う場合と同様にして、制御装置は三方切換弁Ｖ５からＶ８と、開閉弁Ｖ２、Ｖ３、Ｖ１３、Ｖ１４の作動を制御する。
これにより、図５および図６に太線で示すように、両原液通路１６，１７とそれらより下流側の水供給通路１１、供給室７，７’、給液通路１２、接続プラグ１４、バイパス通路１５、排液通路１３、バイパス通路５６、回収室９，９’および排出通路４７内に洗浄液が流通して、これらの通路等の内部が洗浄される。なお、接続プラグ１４とバイパス通路１５へは、三方切換弁Ｖ９を定期的に切り換えることにより洗浄液を流通させる。
このように、透析作業時におけるＡ液、Ｂ液の代わりに洗浄液を用いて透析作業時と同様に透析装置１の構成部材を制御装置を作動させることにより、上記各通路等の内部を洗浄するが、仮に、この時点で洗浄を終了すると、図７に太い線で示した各通路の内部には、洗浄液が流通しないことになり、その部分が洗浄されないことになる。より詳細には、バイパス通路３５と、開閉弁Ｖ１から原液通路１７を接続した位置までの水供給通路１１の内部、両バイパス通路３２，３３、および洗浄液通路１８における開閉弁Ｖ１１側の領域には、洗浄液が流通しないことになり、したがって、それらの内部は洗浄されないことになる。
特に、開閉弁Ｖ１から原液通路１７を接続した位置は通常の透析時に水が流通する箇所にあたり洗浄が必要である。
【００１７】
そこで、本実施例では、この後に、制御装置によって所定の通路の連通状態を切り換えることにより、図７に太線で示した従来では洗浄されなかった箇所をも洗浄する洗浄工程を備えている。なお、この場合には先の洗浄時にいずれかの供給室７，７’ならびに給液通路１２内に残っている洗浄液を用いるようにしている。
先ず開閉弁Ｖ１を閉鎖するとともに開閉弁Ｖ１０を開放し、ポンプＰ２は停止させることにより、バイパス通路３５を介して供給室７（７’）から水供給通路１１への洗浄液の流通通路が形成される。しかしながら、この状態でポンプＰ１を作動させたとしても、透析動作と同じ運転動作であると、回収室９（９’）へ洗浄液が流入しないために回収室９（９’）内が陰圧となり、回収室９（９’）と供給室７（７’）間の容積のバランスが崩れて、供給室７（７’）からの洗浄液の供給は停止してしまう。
そこで、図１に示すように、制御装置は、三方切換弁Ｖ５を第１切り換え位置に位置させるとともに三方切換弁Ｖ６を第１切り換え位置に位置させ、また、三方切換弁Ｖ７を第２切り換え位置に位置させた状態で、三方切換弁Ｖ８を第１切換え位置に位置させて、つまり、三方切換弁Ｖ６とＶ８の間の排出通路４７を介して回収室９と回収室９’とを相互に連通させる連通路を形成した状態で、開閉弁Ｖ３を閉鎖してポンプＰ１を作動させる。
これにより、図１で示した洗浄液の流通経路が形成され、その内部で洗浄液が流通出来るようになる。つまり、ポンプＰ１によって水供給通路１１、バイパス通路３５内に残っている水ならびにその後に続く洗浄液が第１透析液容器３の供給室７に供給されて、供給室７内がその最大限の容積まで拡大する。この過程において、両三方切換弁Ｖ６、Ｖ８は排出通路４７を介して相互連通しているので、第１透析液容器３の供給室７の容積拡大に連動して回収室９の容積が減少されて、第２透析液容器４の回収室９’の容積が拡大し、それと同時に第２透析液容器４の供給室７’が最大容積から最小容積まで縮少されて、その内部に先の洗浄動作で残っている洗浄液が給液通路１２を経由してバイパス通路３５、水供給通路１１へ送り出される。
第１透析液容器３の供給室７が最大限度まで拡大されると、流量センサ３７による流量の検出結果が零となるので、制御装置は、図２に示すように三方切換弁Ｖ５を第２切換え位置に切り換えるとともに、三方切換弁Ｖ７を第１切換え位置に切り換える。
すると、この図２に太線で示した洗浄液の流通通路が形成されることになる。そして、ポンプＰ１によって水供給通路１１、バイパス通路３５内の洗浄液が第２透析液容器４の供給室７’に供給されて、供給室７’内がその最大限の容積まで拡大する。両三方切換弁Ｖ６、Ｖ８は排出通路４７を介して相互連通しているので、第２透析液容器４の供給室７’の容積拡大に連動して回収室９’の容積が縮少されて第１透析液容器３の回収室９の容積が拡大し、それと同時に第１透析液容器３の供給室７が最大容積から最小容積まで縮少されて、その内部の洗浄液が給液通路１２を経由してバイパス通路３５、水供給通路１１への送り出される。
【００１８】
これにより、バイパス通路３５と、それを接続した箇所から供給室７、７’までの水供給通路１１の内部、両バイパス通路３２，３３が洗浄液によって洗浄される。
また、流量センサ３７による流量の検出結果が零となると、制御装置は図３に示すように三方切換弁Ｖ５を第１切換え位置に切り換えるとともに、三方切換弁Ｖ７を第２切換え位置に切り換え、さらに開閉弁Ｖ２を閉鎖する一方、開閉弁Ｖ１１、Ｖ１４を開放させる。これにより、図３に太線で示した洗浄液の流通通路が構成されることになる。また、この次に、流量センサ３７による流量の検出結果が零になると、制御装置は、三方切換弁Ｖ５を第２切換え位置に切り換えるとともに、三方切換弁Ｖ７を第１切換え位置に切り換え、開閉弁Ｖ１４を閉鎖する一方、開閉弁Ｖ１３を開放させるので、図４に示すように別の洗浄液の流通通路が構成される。
これにより、バイパス通路３５と、それを接続した箇所からの水供給通路１１および洗浄通路１８、原液通路１６、１７、両バイパス通路３２、３３が洗浄液によって洗浄される。また、三方切換弁Ｖ５、Ｖ７の切換えを繰り返すことにより、供給室７、７’には洗浄液が交互に供給、排出されることになり、これによって、上記洗浄液の流通経路を洗浄液が循環するものである。
【００１９】
本実施例では、以上のような工程を経て、透析装置１を構成する各通路等の内部を洗浄液を循環させて洗浄するようにしている。
換言すると、本実施例では、透析の準備動作にて使用されるバイパス通路３５を利用し、図１から図４に示した洗浄液の流通経路を構成して、そこに洗浄液を流通させるようにしている。
したがって、これまで洗浄液が流通しなかった水供給通路１１ならびに、バイパス通路３５、洗浄通路１８を洗浄することができる。
また、これら新たに設けた洗浄工程においては、先に行う従来の洗浄工程で供給室ならびに給液通路内に残った洗浄液を用い、これを循環させて洗浄するために洗浄液の使用量は従来と変わらない。さらに、既に洗浄を行った回収室は経由させずに洗浄液を循環させるので、仮に排出通路と水供給通路を接続させて透析動作と同じ工程で循環させた場合に比べて洗浄時間が短縮される。
なお、上記実施例では、処理手段としての各第１透析液容器３および第２透析液容器４が、単一の容器内に供給室７（７’）、回収室９（９’）を備えた場合に本発明を適用したが、特公平３−６２１０７号公報の第５図に開示されるような独立した左右一対の容器の一方に供給室を構成するとともに、他方に回収室を構成するようにした処理手段を２つ備えた透析装置にも本発明を適用することができる。
【００２０】
【発明の効果】
以上のように、本発明によれば、従来の方法で洗浄することができなかった水供給通路内をも洗浄液によって洗浄することができるという効果が得られる。
【図面の簡単な説明】
【図１】本発明の一実施例における洗浄時の１過程を示す構成図。
【図２】本発明の一実施例における洗浄時の１過程を示す構成図。
【図３】本発明の一実施例における洗浄時の１過程を示す構成図。
【図４】本発明の一実施例における洗浄時の１過程を示す構成図。
【図５】従来の透析装置の洗浄方法における洗浄時の１過程を示す構成図。
【図６】従来の透析装置の洗浄方法における洗浄時の１過程を示す構成図。
【図７】従来の透析装置の洗浄方法で洗浄出来なかった箇所を示す構成図。
【符号の説明】
１  透析装置                    ２  透析器
３  第１透析液容器（第１処理手段）
４  第２透析液容器（第２処理手段）
７、７’  供給室                ９、９’  回収室
１１  水供給通路                １２  給液通路
１３  排液通路                  ３５  バイパス通路
４７  排出通路                  Ｖ１  開閉弁
Ｐ１  ポンプ
【図１】
0004182461.tif 000002
【図２】
0004182461.tif 000003
【図３】
0004182461.tif 000004
【図４】
0004182461.tif 000005
【図５】
0004182461.tif 000006
【図６】
0004182461.tif 000007
【図７】
0004182461.tif 000008